(57)【要約】【課題】本発明は乾燥しやすい吸水ヘアキャップを開示した。【解決手段】ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、本装置は使用が簡単であり、快速に髪を乾燥でき、長時間に髪に水が溜まるためバクテリアが増えること防止し、また物理的な方法で乾燥し、髪に傷つけることがなく、ファスナーの構造により吸水材料の取り替えとクリーニングとが便利である。【選択図】図１
2020171653.tif 000002
【特許請求の範囲】
【請求項１】
ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、前記円溝を中心に前記円溝に連通している三つの弧形溝が環状排列に設けられ、前記円溝の外端面には三つの弾性溝が均一に分布され、前記吸水軸の下端壁には弾性バネが固定的に設けられ、前記弾性バネの上端には上端が前記弧形溝の中に位置している台形ブロックが固定的に設けられ、前記道具溝の中の吸水軸の端面には三つの回転溝が均一に分布され、左側の前記回転溝の後端壁には定位ロッドが固定的に設けられ、前記定位ロッドには左端が前記道具溝の中に位置している斜めロッドが回転できるように設けられ、前記斜めロッドの前側には前記吸水軸に均一に固定された三つの短ロッドが設けられ、前記吸水軸には円ブロックが固定的に設けられ、前記円ブロックの中には三つの重力溝が均一に分布され、左側の前記重力溝の右端壁には重力バネが固定的に設けられ、前記重力バネの左端には前記重力溝とスライドできるように連結された重力ブロックが固定的に設けられ、前記重力ブロックと前記斜めロッドとがロープにより固定的に連結され、前記重力ブロックの左端面にはループが固定的に設けられ、前記ループの左端面にはホックが係合し設けられ、前記ホックの左端面には吸水布が固定的に設けられ、前記吸水機構の下側には駆動機構が設けられ、前記駆動機構の中には前記道具溝と回転できるように連結された伝動軸が左右に対称的に設けられ、前記伝動軸には伝動プーリが固定的に設けられ、前記伝動プーリの前側には前記伝動軸と固定的に連結された取替ロッドが設けられ、前記取替ロッドの前側には前記伝動軸と固定的に連結された揺動ロッドが設けられ、前記揺動ロッドの回転は前記短ロッドを押し動かし回転させることができることを特徴とする乾燥しやすい吸水ヘアキャップ。
【請求項２】
前記駆動機構は左右に対称する二つの駆動軸も含み、左側の前記駆動軸の後端には道具溝の後端壁に固定的に連結された駆動モーターが動力が伝達できるように設けられ、右側の前記駆動軸の後端と前記道具溝の後端壁とが回転できるように連結され、前記駆動軸には縦ベルトにより前記伝動プーリと摩擦伝動できる大型プーリが固定的に設けられ、前記大型プーリの前側には前記駆動軸と固定的に連結された小型プーリが設けられ、二つの前記小型プーリが横向きベルトにより摩擦伝動でき、前記駆動モーターの作動は駆動軸を回転連動させることができ、前記縦ベルトの摩擦伝動により前記伝動プーリを回転連動させることができることを特徴とする請求項１に記載の乾燥しやすい吸水ヘアキャップ。
【請求項３】
前記吸水機構は前記道具溝の下端壁に固定的に連結されたかぶりブロックも含み、前記かぶりブロックの中には下端壁が外部に連通している吸水溝が設けられ、前記吸水溝と前記道具溝とが二つの中間溝により連通しており、前記ヘアキャップカバーの上端面には二つの曲面ブロックが左右に対称的にヒンジによって連結され、前記曲面ブロックの上端面には取っ手が固定的に設けられ、二つの前記取っ手を引くことによって前記道具溝を開けることができることを特徴とする請求項１に記載の乾燥しやすい吸水ヘアキャップ。
【発明の詳細な説明】
【技術分野】
【０００１】
本発明はキャップ分野を取り上げて、具体的には乾燥しやすい吸水ヘアキャップである。
【背景技術】
【０００２】
ヘアキャップは髪を洗った後に頭にかぶって髪を快速に吸水する帽子であり、しかし現有のヘアキャップは吸水効率が低く、長時間に頭にかぶる必要があるため、細菌が増えやすく、また洗う時に比較的に不便であり、取り替える時も全体を取り替えなければならないため、材料の浪費にもなる。
【先行技術文献】
【特許文献】
【０００３】
【特許文献１】中国特許出願公開第１０７５３６２２２号明細書
【発明の概要】
【発明が解決しようとする課題】
【０００４】
本発明の目的は乾燥しやすい吸水ヘアキャップを提供し、それは上記の現在の技術中の問題を解決できる。
【課題を解決するための手段】
【０００５】
上記の課題を解決するため、本発明は以下の技術プランを採用する：本発明の乾燥しやすい吸水ヘアキャップは、ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、前記円溝を中心に前記円溝に連通している三つの弧形溝が環状排列に設けられ、前記円溝の外端面には三つの弾性溝が均一に分布され、前記吸水軸の下端壁には弾性バネが固定的に設けられ、前記弾性バネの上端には上端が前記弧形溝の中に位置している台形ブロックが固定的に設けられ、前記道具溝の中の吸水軸の端面には三つの回転溝が均一に分布され、左側の前記回転溝の後端壁には定位ロッドが固定的に設けられ、前記定位ロッドには左端が前記道具溝の中に位置している斜めロッドが回転できるように設けられ、前記斜めロッドの前側には前記吸水軸に均一に固定された三つの短ロッドが設けられ、前記吸水軸には円ブロックが固定的に設けられ、前記円ブロックの中には三つの重力溝が均一に分布され、左側の前記重力溝の右端壁には重力バネが固定的に設けられ、前記重力バネの左端には前記重力溝とスライドできるように連結された重力ブロックが固定的に設けられ、前記重力ブロックと前記斜めロッドとがロープにより固定的に連結され、前記重力ブロックの左端面にはループが固定的に設けられ、前記ループの左端面にはホックが係合し設けられ、前記ホックの左端面には吸水布が固定的に設けられ、前記吸水機構の下側には駆動機構が設けられ、前記駆動機構の中には前記道具溝と回転できるように連結された伝動軸が左右に対称的に設けられ、前記伝動軸には伝動プーリが固定的に設けられ、前記伝動プーリの前側には前記伝動軸と固定的に連結された取替ロッドが設けられ、前記取替ロッドの前側には前記伝動軸と固定的に連結された揺動ロッドが設けられ、前記揺動ロッドの回転は前記短ロッドを押し動かし回転させることができる。
【０００６】
優選の技術プランとして、前記駆動機構は左右に対称する二つの駆動軸も含み、左側の前記駆動軸の後端には道具溝の後端壁に固定的に連結された駆動モーターが動力が伝達できるように設けられ、右側の前記駆動軸の後端と前記道具溝の後端壁とが回転できるように連結され、前記駆動軸には縦ベルトにより前記伝動プーリと摩擦伝動できる大型プーリが固定的に設けられ、前記大型プーリの前側には前記駆動軸と固定的に連結された小型プーリが設けられ、二つの前記小型プーリが横向きベルトにより摩擦伝動でき、前記駆動モーターの作動は駆動軸を回転連動させることができ、前記縦ベルトの摩擦伝動により前記伝動プーリを回転連動させることができる。
【０００７】
優選の技術プランとして、前記吸水機構は前記道具溝の下端壁に固定的に連結されたかぶりブロックも含み、前記かぶりブロックの中には下端壁が外部に連通している吸水溝が設けられ、前記吸水溝と前記道具溝とが二つの中間溝により連通しており、前記ヘアキャップカバーの上端面には二つの曲面ブロックが左右に対称的にヒンジによって連結され、前記曲面ブロックの上端面には取っ手が固定的に設けられ、二つの前記取っ手を引くことによって前記道具溝を開けることができる。
【発明の効果】
【０００８】
本装置は使用が簡単であり、快速に髪を乾燥でき、長時間に髪に水が溜まるためバクテリアが増えること防止し、また物理的な方法で乾燥し、髪に傷つけることがなく、ファスナーの構造により吸水材料の取り替えとクリーニングとが便利である。
【図面の簡単な説明】
【０００９】
以下、図１−５を合わせて本発明について詳しく説明し、また、説明の便利を図るため、下記に記載の上下左右前後方向が図１自身の投影関係の上下左右前後方向と一致することにする。
【００１０】
【図１】図１は本発明の乾燥しやすい吸水ヘアキャップの全体断面正面構成略図
【図２】図２は本発明の乾燥しやすい吸水ヘアキャップのヘアキャップカバーの正面断面構成略図
【図３】図３は本発明の乾燥しやすい吸水ヘアキャップの吸水軸の正面断面拡大構成略図
【図４】図４は本発明の乾燥しやすい吸水ヘアキャップの左側の駆動軸の右側面断面構成略図
【図５】図５は本発明の乾燥しやすい吸水ヘアキャップの吸水軸の上面断面構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−５を参照し、本発明の乾燥しやすい吸水ヘアキャップは、ヘアキャップカバー１２を含み、前記ヘアキャップカバー１２の中には道具溝１６が設けられ、前記道具溝１６の中には吸水機構５１が左右に対称的に設けられ、前記吸水機構５１は吸水軸２８を含み、前記道具溝１６の後端壁の中には円溝４０が左右に対称的に設けられ、前記円溝４０の後端壁には前端が前記道具溝１６の中に位置している吸水軸２８が回転できるように設けられ、前記円溝４０を中心に前記円溝４０に連通している三つの弧形溝３９が環状排列に設けられ、前記円溝４０の外端面には三つの弾性溝３８が均一に分布され、前記吸水軸２８の下端壁には弾性バネ３６が固定的に設けられ、前記弾性バネ３６の上端には上端が前記弧形溝３９の中に位置している台形ブロック３７が固定的に設けられ、前記道具溝１６の中の吸水軸２８の端面には三つの回転溝４３が均一に分布され、左側の前記回転溝４３の後端壁には定位ロッド４４が固定的に設けられ、前記定位ロッド４４には左端が前記道具溝１６の中に位置している斜めロッド３４が回転できるように設けられ、前記斜めロッド３４の前側には前記吸水軸２８に均一に固定された三つの短ロッド３５が設けられ、前記吸水軸２８には円ブロック４５が固定的に設けられ、前記円ブロック４５の中には三つの重力溝２１が均一に分布され、左側の前記重力溝２１の右端壁には重力バネ２７が固定的に設けられ、前記重力バネ２７の左端には前記重力溝２１とスライドできるように連結された重力ブロック２６が固定的に設けられ、前記重力ブロック２６と前記斜めロッド３４とがロープ２２により固定的に連結され、前記重力ブロック２６の左端面にはループ２４が固定的に設けられ、前記ループ２４の左端面にはホック２３が係合し設けられ、前記ホック２３の左端面には吸水布２５が固定的に設けられ、前記吸水機構５１の下側には駆動機構５０が設けられ、前記駆動機構５０の中には前記道具溝１６と回転できるように連結された伝動軸１９が左右に対称的に設けられ、前記伝動軸１９には伝動プーリ１７が固定的に設けられ、前記伝動プーリ１７の前側には前記伝動軸１９と固定的に連結された取替ロッド２０が設けられ、前記取替ロッド２０の前側には前記伝動軸１９と固定的に連結された揺動ロッド１８が設けられ、前記揺動ロッド１８の回転は前記短ロッド３５を押し動かし回転させることができる。
【００１３】
有益的には、前記駆動機構５０は左右に対称する二つの駆動軸１３も含み、左側の前記駆動軸１３の後端には道具溝１６の後端壁に固定的に連結された駆動モーター４１が動力が伝達できるように設けられ、右側の前記駆動軸１３の後端と前記道具溝１６の後端壁とが回転できるように連結され、前記駆動軸１３には縦ベルト３３により前記伝動プーリ１７と摩擦伝動できる大型プーリ１５が固定的に設けられ、前記大型プーリ１５の前側には前記駆動軸１３と固定的に連結された小型プーリ１４が設けられ、二つの前記小型プーリ１４が横向きベルト１１により摩擦伝動でき、前記駆動モーター４１の作動は駆動軸１３を回転連動させることができ、前記縦ベルト３３の摩擦伝動により前記伝動プーリ１７を回転連動させることができる。
【００１４】
有益的には、前記吸水機構５１は前記道具溝１６の下端壁に固定的に連結されたかぶりブロック１０も含み、前記かぶりブロック１０の中には下端壁が外部に連通している吸水溝３２が設けられ、前記吸水溝３２と前記道具溝１６とが二つの中間溝３１により連通しており、前記ヘアキャップカバー１２の上端面には二つの曲面ブロック２９が左右に対称的にヒンジによって連結され、前記曲面ブロック２９の上端面には取っ手３０が固定的に設けられ、二つの前記取っ手３０を引くことによって前記道具溝１６を開けることができる。
【００１５】
以下、図１−５及び上記説明した本発明の乾燥しやすい吸水ヘアキャップの具体的な構成を参照し、本発明の乾燥しやすい吸水ヘアキャップの使用方法を説明する：
【００１６】
髪を洗った後、頭を吸水溝３２の中に入れ、駆動モーター４１を起動し、駆動軸１３を回転連動させ、縦ベルト３３と横向きベルト１１との摩擦伝動により、二つの揺動ロッド１８と二つの取替ロッド２０とを回転連動させ、揺動ロッド１８が短ロッド３５を回転連動させ、円ブロック４５自身の重力作用により台形ブロック３７を弧形溝３９で往復に運動させ、これにより一番下側の吸水布２５を往復に振らせて髪の水分を吸収させ、快速乾燥ができ、一番下側の吸水布２５が一定の量の水分を吸収した後、重力バネ２７を引き伸ばし、これによりロープ２２を引き動かし、斜めロッド３４を取替ロッド２０が運動する位置まで振らせて連動させ、取替ロッド２０が斜めロッド３４を一定の角度に押し動かし、台形ブロック３７を現在の弧形溝３９から離脱させて隣接する弧形溝３９の中に入らせ、これによりもう一つの吸水布２５に取り替えて髪を乾燥し、使用後に二つの曲面ブロック２９を開けることができ、ホック２３をループ２４から外し、クリーニングし除菌する。
【００１７】
本発明の有益効果は：本装置は使用が簡単であり、快速に髪を乾燥でき、長時間に髪に水が溜まるためバクテリアが増えること防止し、また物理的な方法で乾燥し、髪に傷つけることがなく、ファスナーの構造により吸水材料の取り替えとクリーニングとが便利である。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171653.tif 000003
【図２】
2020171653.tif 000004
【図３】
2020171653.tif 000005
【図４】
2020171653.tif 000006
【図５】
2020171653.tif 000007
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、前記円溝を中心に前記円溝に連通している三つの弧形溝が環状配列に設けられ、前記円溝の外端面には三つの弾性溝が均一に分布され、前記吸水軸の下端壁には弾性バネが固定的に設けられ、前記弾性バネの上端には上端が前記弧形溝の中に位置している台形ブロックが固定的に設けられ、前記道具溝の中の吸水軸の端面には三つの回転溝が均一に分布され、左側の前記回転溝の後端壁には定位ロッドが固定的に設けられ、前記定位ロッドには左端が前記道具溝の中に位置している斜めロッドが回転できるように設けられ、前記斜めロッドの前側には前記吸水軸に均一に固定された三つの短ロッドが設けられ、前記吸水軸には円ブロックが固定的に設けられ、前記円ブロックの中には三つの重力溝が均一に分布され、左側の前記重力溝の右端壁には重力バネが固定的に設けられ、前記重力バネの左端には前記重力溝とスライドできるように連結された重力ブロックが固定的に設けられ、前記重力ブロックと前記斜めロッドとがロープにより固定的に連結され、前記重力ブロックの左端面にはループが固定的に設けられ、前記ループの左端面にはホックが係合し設けられ、前記ホックの左端面には吸水布が固定的に設けられ、前記吸水機構の下側には駆動機構が設けられ、前記駆動機構の中には前記道具溝と回転できるように連結された伝動軸が左右に対称的に設けられ、前記伝動軸には伝動プーリが固定的に設けられ、前記伝動プーリの前側には前記伝動軸と固定的に連結された取替ロッドが設けられ、前記取替ロッドの前側には前記伝動軸と固定的に連結された揺動ロッドが設けられ、前記揺動ロッドの回転は前記短ロッドを押し動かし回転させることができ、
前記駆動機構は左右に対称する二つの駆動軸も含み、左側の前記駆動軸の後端には道具溝の後端壁に固定的に連結された駆動モーターが動力が伝達できるように設けられ、右側の前記駆動軸の後端と前記道具溝の後端壁とが回転できるように連結され、前記駆動軸には縦ベルトにより前記伝動プーリと摩擦伝動できる大型プーリが固定的に設けられ、前記大型プーリの前側には前記駆動軸と固定的に連結された小型プーリが設けられ、二つの前記小型プーリが横向きベルトにより摩擦伝動でき、前記駆動モーターの作動は駆動軸を回転連動させることができ、前記縦ベルトの摩擦伝動により前記伝動プーリを回転連動させることができ、
前記吸水機構は前記道具溝の下端壁に固定的に連結されたかぶりブロックも含み、前記かぶりブロックの中には下端壁が外部に連通しており且つ頭を入れる吸水溝が設けられ、前記吸水溝と前記道具溝とが二つの中間溝により連通しており、前記ヘアキャップカバーの上端面には二つの曲面ブロックが左右に対称的にヒンジによって連結され、前記曲面ブロックの上端面には取っ手が固定的に設けられ、二つの前記取っ手を引くことによって前記道具溝を開けて前記ホックを前記ループから引き剥がして洗浄と除菌を行うことができることを特徴とする乾燥しやすい吸水ヘアキャップ。
【手続補正２】
【補正対象書類名】明細書
【補正対象項目名】全文
【補正方法】変更
【補正の内容】
【発明の詳細な説明】
【技術分野】
【０００１】
本発明はキャップ分野を取り上げて、具体的には乾燥しやすい吸水ヘアキャップである。
【背景技術】
【０００２】
ヘアキャップは髪を洗った後に頭にかぶって髪を快速に吸水する帽子であり、しかし現有のヘアキャップは吸水効率が低く、長時間に頭にかぶる必要があるため、細菌が増えやすく、また洗う時に比較的に不便であり、取り替える時も全体を取り替えなければならないため、材料の浪費にもなる。
【先行技術文献】
【特許文献】
【０００３】
【特許文献１】中国特許出願公開第１０７５３６２２２号明細書
【発明の概要】
【発明が解決しようとする課題】
【０００４】
本発明の目的は乾燥しやすい吸水ヘアキャップを提供し、それは上記の現在の技術中の問題を解決できる。
【課題を解決するための手段】
【０００５】
上記の課題を解決するため、本発明は以下の技術プランを採用する：本発明の乾燥しやすい吸水ヘアキャップは、ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、前記円溝を中心に前記円溝に連通している三つの弧形溝が環状配列に設けられ、前記円溝の外端面には三つの弾性溝が均一に分布され、前記吸水軸の下端壁には弾性バネが固定的に設けられ、前記弾性バネの上端には上端が前記弧形溝の中に位置している台形ブロックが固定的に設けられ、前記道具溝の中の吸水軸の端面には三つの回転溝が均一に分布され、左側の前記回転溝の後端壁には定位ロッドが固定的に設けられ、前記定位ロッドには左端が前記道具溝の中に位置している斜めロッドが回転できるように設けられ、前記斜めロッドの前側には前記吸水軸に均一に固定された三つの短ロッドが設けられ、前記吸水軸には円ブロックが固定的に設けられ、前記円ブロックの中には三つの重力溝が均一に分布され、左側の前記重力溝の右端壁には重力バネが固定的に設けられ、前記重力バネの左端には前記重力溝とスライドできるように連結された重力ブロックが固定的に設けられ、前記重力ブロックと前記斜めロッドとがロープにより固定的に連結され、前記重力ブロックの左端面にはループが固定的に設けられ、前記ループの左端面にはホックが係合し設けられ、前記ホックの左端面には吸水布が固定的に設けられ、前記吸水機構の下側には駆動機構が設けられ、前記駆動機構の中には前記道具溝と回転できるように連結された伝動軸が左右に対称的に設けられ、前記伝動軸には伝動プーリが固定的に設けられ、前記伝動プーリの前側には前記伝動軸と固定的に連結された取替ロッドが設けられ、前記取替ロッドの前側には前記伝動軸と固定的に連結された揺動ロッドが設けられ、前記揺動ロッドの回転は前記短ロッドを押し動かし回転させることができる。
【０００６】
優選の技術プランとして、前記駆動機構は左右に対称する二つの駆動軸も含み、左側の前記駆動軸の後端には道具溝の後端壁に固定的に連結された駆動モーターが動力が伝達できるように設けられ、右側の前記駆動軸の後端と前記道具溝の後端壁とが回転できるように連結され、前記駆動軸には縦ベルトにより前記伝動プーリと摩擦伝動できる大型プーリが固定的に設けられ、前記大型プーリの前側には前記駆動軸と固定的に連結された小型プーリが設けられ、二つの前記小型プーリが横向きベルトにより摩擦伝動でき、前記駆動モーターの作動は駆動軸を回転連動させることができ、前記縦ベルトの摩擦伝動により前記伝動プーリを回転連動させることができる。
【０００７】
優選の技術プランとして、前記吸水機構は前記道具溝の下端壁に固定的に連結されたかぶりブロックも含み、前記かぶりブロックの中には下端壁が外部に連通しており且つ頭を入れる吸水溝が設けられ、前記吸水溝と前記道具溝とが二つの中間溝により連通しており、前記ヘアキャップカバーの上端面には二つの曲面ブロックが左右に対称的にヒンジによって連結され、前記曲面ブロックの上端面には取っ手が固定的に設けられ、二つの前記取っ手を引くことによって前記道具溝を開けて前記ホックを前記ループから引き剥がして洗浄と除菌を行うことができる。
【発明の効果】
【０００８】
本装置は使用が簡単であり、快速に髪を乾燥でき、長時間に髪に水が溜まるためバクテリアが増えること防止し、また物理的な方法で乾燥し、髪に傷つけることがなく、ファスナーの構造により吸水材料の取り替えとクリーニングとが便利である。
【図面の簡単な説明】
【０００９】
以下、図１−５を合わせて本発明について詳しく説明し、また、説明の便利を図るため、下記に記載の上下左右前後方向が図１自身の投影関係の上下左右前後方向と一致することにする。
【００１０】
【図１】図１は本発明の乾燥しやすい吸水ヘアキャップの全体断面正面構成略図
【図２】図２は本発明の乾燥しやすい吸水ヘアキャップのヘアキャップカバーの正面    断面構成略図
【図３】図３は本発明の乾燥しやすい吸水ヘアキャップの吸水軸の正面断面拡大構成    略図
【図４】図４は本発明の乾燥しやすい吸水ヘアキャップの左側の駆動軸の右側面断面    構成略図
【図５】図５は本発明の乾燥しやすい吸水ヘアキャップの吸水軸の上面断面構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−５を参照し、本発明の乾燥しやすい吸水ヘアキャップは、ヘアキャップカバー１２を含み、前記ヘアキャップカバー１２の中には道具溝１６が設けられ、前記道具溝１６の中には吸水機構５１が左右に対称的に設けられ、前記吸水機構５１は吸水軸２８を含み、前記道具溝１６の後端壁の中には円溝４０が左右に対称的に設けられ、前記円溝４０の後端壁には前端が前記道具溝１６の中に位置している吸水軸２８が回転できるように設けられ、前記円溝４０を中心に前記円溝４０に連通している三つの弧形溝３９が環状配列に設けられ、前記円溝４０の外端面には三つの弾性溝３８が均一に分布され、前記吸水軸２８の下端壁には弾性バネ３６が固定的に設けられ、前記弾性バネ３６の上端には上端が前記弧形溝３９の中に位置している台形ブロック３７が固定的に設けられ、前記道具溝１６の中の吸水軸２８の端面には三つの回転溝４３が均一に分布され、左側の前記回転溝４３の後端壁には定位ロッド４４が固定的に設けられ、前記定位ロッド４４には左端が前記道具溝１６の中に位置している斜めロッド３４が回転できるように設けられ、前記斜めロッド３４の前側には前記吸水軸２８に均一に固定された三つの短ロッド３５が設けられ、前記吸水軸２８には円ブロック４５が固定的に設けられ、前記円ブロック４５の中には三つの重力溝２１が均一に分布され、左側の前記重力溝２１の右端壁には重力バネ２７が固定的に設けられ、前記重力バネ２７の左端には前記重力溝２１とスライドできるように連結された重力ブロック２６が固定的に設けられ、前記重力ブロック２６と前記斜めロッド３４とがロープ２２により固定的に連結され、前記重力ブロック２６の左端面にはループ２４が固定的に設けられ、前記ループ２４の左端面にはホック２３が係合し設けられ、前記ホック２３の左端面には吸水布２５が固定的に設けられ、前記吸水機構５１の下側には駆動機構５０が設けられ、前記駆動機構５０の中には前記道具溝１６と回転できるように連結された伝動軸１９が左右に対称的に設けられ、前記伝動軸１９には伝動プーリ１７が固定的に設けられ、前記伝動プーリ１７の前側には前記伝動軸１９と固定的に連結された取替ロッド２０が設けられ、前記取替ロッド２０の前側には前記伝動軸１９と固定的に連結された揺動ロッド１８が設けられ、前記揺動ロッド１８の回転は前記短ロッド３５を押し動かし回転させることができる。
【００１３】
有益的には、前記駆動機構５０は左右に対称する二つの駆動軸１３も含み、左側の前記駆動軸１３の後端には道具溝１６の後端壁に固定的に連結された駆動モーター４１が動力が伝達できるように設けられ、右側の前記駆動軸１３の後端と前記道具溝１６の後端壁とが回転できるように連結され、前記駆動軸１３には縦ベルト３３により前記伝動プーリ１７と摩擦伝動できる大型プーリ１５が固定的に設けられ、前記大型プーリ１５の前側には前記駆動軸１３と固定的に連結された小型プーリ１４が設けられ、二つの前記小型プーリ１４が横向きベルト１１により摩擦伝動でき、前記駆動モーター４１の作動は駆動軸１３を回転連動させることができ、前記縦ベルト３３の摩擦伝動により前記伝動プーリ１７を回転連動させることができる。
【００１４】
有益的には、前記吸水機構５１は前記道具溝１６の下端壁に固定的に連結されたかぶりブロック１０も含み、前記かぶりブロック１０の中には下端壁が外部に連通しており且つ頭を入れる吸水溝３２が設けられ、前記吸水溝３２と前記道具溝１６とが二つの中間溝３１により連通しており、前記ヘアキャップカバー１２の上端面には二つの曲面ブロック２９が左右に対称的にヒンジによって連結され、前記曲面ブロック２９の上端面には取っ手３０が固定的に設けられ、二つの前記取っ手３０を引くことによって前記道具溝１６を開けて前記ホック２３を前記ループ２４から引き剥がして洗浄と除菌を行うことができる。
【００１５】
以下、図１−５及び上記説明した本発明の乾燥しやすい吸水ヘアキャップの具体的な構成を参照し、本発明の乾燥しやすい吸水ヘアキャップの使用方法を説明する：
【００１６】
髪を洗った後、頭を吸水溝３２の中に入れ、駆動モーター４１を起動し、駆動軸１３を回転連動させ、縦ベルト３３と横向きベルト１１との摩擦伝動により、二つの揺動ロッド１８と二つの取替ロッド２０とを回転連動させ、揺動ロッド１８が短ロッド３５を回転連動させ、円ブロック４５自身の重力作用により台形ブロック３７を弧形溝３９で往復に運動させ、これにより一番下側の吸水布２５を往復に振らせて髪の水分を吸収させ、快速乾燥ができ、一番下側の吸水布２５が一定の量の水分を吸収した後、重力バネ２７を引き伸ばし、これによりロープ２２を引き動かし、斜めロッド３４を取替ロッド２０が運動する位置まで振らせて連動させ、取替ロッド２０が斜めロッド３４を一定の角度に押し動かし、台形ブロック３７を現在の弧形溝３９から離脱させて隣接する弧形溝３９の中に入らせ、これによりもう一つの吸水布２５に取り替えて髪を乾燥し、使用後に二つの曲面ブロック２９を開けることができ、ホック２３をループ２４から外し、クリーニングし除菌する。
【００１７】
本発明の有益効果は：本装置は使用が簡単であり、快速に髪を乾燥でき、長時間に髪に水が溜まるためバクテリアが増えること防止し、また物理的な方法で乾燥し、髪に傷つけることがなく、ファスナーの構造により吸水材料の取り替えとクリーニングとが便利である。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年1月13日(2020.1.13)
【手続補正１】
【補正対象書類名】特許請求の範囲
【補正対象項目名】全文
【補正方法】変更
【補正の内容】
【特許請求の範囲】
【請求項１】
ヘアキャップカバーを含み、前記ヘアキャップカバーの中には道具溝が設けられ、前記道具溝の中には吸水機構が左右に対称的に設けられ、前記吸水機構は吸水軸を含み、前記道具溝の後端壁の中には円溝が左右に対称的に設けられ、前記円溝の後端壁には前端が前記道具溝の中に位置している吸水軸が回転できるように設けられ、前記円溝を中心に前記円溝に連通している三つの弧形溝が環状配列に設けられ、前記円溝の外端面には三つの弾性溝が均一に分布され、前記吸水軸の下端壁には弾性バネが固定的に設けられ、前記弾性バネの上端には上端が前記弧形溝の中に位置している台形ブロックが固定的に設けられ、前記道具溝の中の吸水軸の端面には三つの回転溝が均一に分布され、左側の前記回転溝の後端壁には定位ロッドが固定的に設けられ、前記定位ロッドには左端が前記道具溝の中に位置している斜めロッドが回転できるように設けられ、前記斜めロッドの前側には前記吸水軸に均一に固定された三つの短ロッドが設けられ、前記吸水軸には円ブロックが固定的に設けられ、前記円ブロックの中には三つの重力溝が均一に分布され、左側の前記重力溝の右端壁には重力バネが固定的に設けられ、前記重力バネの左端には前記重力溝とスライドできるように連結された重力ブロックが固定的に設けられ、前記重力ブロックと前記斜めロッドとがロープにより固定的に連結され、前記重力ブロックの左端面にはループが固定的に設けられ、前記ループの左端面にはホックが係合し設けられ、前記ホックの左端面には吸水布が固定的に設けられ、前記吸水機構の下側には駆動機構が設けられ、前記駆動機構の中には前記道具溝と回転できるように連結された伝動軸が左右に対称的に設けられ、前記伝動軸には伝動プーリが固定的に設けられ、前記伝動プーリの前側には前記伝動軸と固定的に連結された取替ロッドが設けられ、前記取替ロッドの前側には前記伝動軸と固定的に連結された揺動ロッドが設けられ、前記揺動ロッドの回転は前記短ロッドを押し動かし回転させることができ、円ブロック自身の重力作用により台形ブロックを弧形溝で往復に運動させ、これにより一番下側の吸水布を往復に振らせて髪の水分を吸収させ、快速乾燥ができ、
前記駆動機構は左右に対称する二つの駆動軸も含み、左側の前記駆動軸の後端には道具溝の後端壁に固定的に連結された駆動モーターが動力が伝達できるように設けられ、右側の前記駆動軸の後端と前記道具溝の後端壁とが回転できるように連結され、前記駆動軸には縦ベルトにより前記伝動プーリと摩擦伝動できる大型プーリが固定的に設けられ、前記大型プーリの前側には前記駆動軸と固定的に連結された小型プーリが設けられ、二つの前記小型プーリが横向きベルトにより摩擦伝動でき、前記駆動モーターの作動は駆動軸を回転連動させることができ、前記縦ベルトの摩擦伝動により前記伝動プーリを回転連動させることができ、
前記吸水機構は前記道具溝の下端壁に固定的に連結されたかぶりブロックも含み、前記かぶりブロックの中には下端壁が外部に連通しており且つ頭を入れる吸水溝が設けられ、前記吸水溝と前記道具溝とが二つの中間溝により連通しており、前記ヘアキャップカバーの上端面には二つの曲面ブロックが左右に対称的にヒンジによって連結され、前記曲面ブロックの上端面には取っ手が固定的に設けられ、二つの前記取っ手を引くことによって前記道具溝を開けて前記ホックを前記ループから引き剥がして洗浄と除菌を行うことができることを特徴とする乾燥しやすい吸水ヘアキャップ。